(57)【要約】  この発明は、昇降路内の階床位置に設けられた着床プレートを前記かごに設けた着床プレート検出器で検出し階床位置を検出する階床位置検出部と、ガバナロープまたは主ロープの動きに基づいてかごの移動距離を検出するかご移動距離検出部と、階高学習時にかごに対して階高学習運転を行う駆動制御部と、前記階高学習運転時に、検出された前記階床位置と前記かごの移動距離により階高を計測する計測処理部と、前記計測した階高を記憶する記憶部と、を備え、前記駆動制御部が、前記階高学習運転時に少なくとも最下階の前記着床プレートを前記かごを一定速度で通過させる、エレベータの制御装置等にある。
2018016033.tif 000002
【特許請求の範囲】
【請求項１】
昇降路内の階床位置に設けられた着床プレートを前記かごに設けた着床プレート検出器で検出し階床位置を検出する階床位置検出部と、
ガバナロープまたは主ロープの動きに基づいてかごの移動距離を検出するかご移動距離検出部と、
階高学習時にかごに対して階高学習運転を行う駆動制御部と、
前記階高学習運転時に、検出された前記階床位置と前記かごの移動距離により階高を計測する計測処理部と、
前記計測した階高を記憶する記憶部と、
を備え、
前記駆動制御部が、前記階高学習運転時に少なくとも最下階の前記着床プレートを前記かごを一定速度で通過させる、エレベータの制御装置。
【請求項２】
前記駆動制御部が、最下階から次の隣接階までの距離を、前記かごを定格速度である第１の速度よりも低い第２の速度で一定速度で走行させる、請求項１に記載のエレベータの制御装置。
【請求項３】
前記階床位置検出部は、前記着床プレートのかごの進行方向に沿った端部を検出し、
前記第２の速度は、かごを加速して第２の速度に到達した時点から前記着床プレート検出器が前記着床プレートの端部を通過するまでの時間長が設定時間長が確保されるよう決定されている、請求項２に記載のエレベータの制御装置。
【請求項４】
前記計測部が、
最下階の階高を、かごを前記第２の速度で走行させて計測した階高と、前記第１の速度で走行させて計測した階高との誤差を求めて前記記憶部に記憶する誤差演算部と、
前記第１の速度で再学習した際に、前記誤差で補正する補正部と、
を含む、請求項２または請求項３に記載のエレベータの制御装置。
【請求項５】
前記駆動制御部は、前記かごを、最下階をかごの定格速度である第１の速度よりも低い第２の速度で一定速度で走行させた後に、前記着床プレート検出器が前記着床プレートを検出しない区間でかごを再加速させて、最上階までは前記第１の速度で走行させる、請求項１に記載のエレベータの制御装置。
【請求項６】
前記階床位置検出部は、前記着床プレートのかごの進行方向に沿った端部を検出し、
前記第２の速度は、かごを加速して第２の速度に到達した時点から前記着床プレート検出器が前記着床プレートの端部を通過するまでの時間長が設定時間長が確保されるよう決定されている、請求項５に記載のエレベータの制御装置。
【請求項７】
前記駆動制御部は、前記着床プレート検出器が前記着床プレートを検出しない区間毎に、前記かごの定格速度である第１の速度まで、段階的に前記かごを再加速させる、請求項１に記載のエレベータの制御装置。
【請求項８】
前記階床位置検出部は、前記着床プレートのかごの進行方向に沿った端部を検出し、
前記駆動制御部は、前記区間毎における加速後、前記着床プレート検出器の前記着床プレートの脱出または進入までの時間長が設定時間長が確保されるようかごの速度を制御する、請求項７に記載のエレベータの制御装置。
【請求項９】
前記設定時間長が、かごの加速によるエレベータの機械機構の振動が十分に減衰する時間長より大きな時間長である、請求項３，６，８のいずれか１項に記載のエレベータの制御装置。
【請求項１０】
かごを階高学習運転をさせ、前記階高学習運転時に、
昇降路内の階床位置に設けられた着床プレートを前記かごに設けた着床プレート検出器で検出し階床位置を検出し、
ガバナロープまたは主ロープの動きに基づいてかごの移動距離を検出し、
検出された前記階床位置と前記かごの移動距離により階高を計測して記憶し、
少なくとも最下階の前記着床プレートを前記かごを一定速度で通過させる、エレベータの制御方法。
【発明の詳細な説明】
【技術分野】
【０００１】
この発明は、エレベータの制御装置および制御方法、特に各階床間の階高のより正確な計測に関する。
【背景技術】
【０００２】
従来のロープ式エレベータでは、昇降路内のかごの停止階に対応する位置に設けられた着床プレートと、ガバナまたは巻上機に設けられたロープに基づいてかごの位置を検出する位置検出手段と、から求まる情報に加え、階高情報を利用することで、停止階までの残距離を算出し、かごの着床制御を行う。
高精度な着床を実現させるためには、正確な階高情報が必要となる。そのため、着床プレートと位置検出手段から得られる情報を利用して、階高を学習する(例えば下記特許文献１−３等参照)。
【先行技術文献】
【特許文献】
【０００３】
【特許文献１】特開昭６０−１９７５７２号公報(図１)
【特許文献２】特開平２−１０６５７４号公報
【特許文献３】国際公開第２０１６−０６３３７９号パンフレット
【発明の概要】
【発明が解決しようとする課題】
【０００４】
しかし従来技術では、終端階、特にロープが長くなる最下階の階高計測データには、かごの加減速によって発生するロープ伸縮による計測誤差が含まれてしまうため、高精度な階高データを得ることが困難となる。【０００５】
この発明は、上記の課題を解決するためになされたものであり、ガバナロープまたは主ロープを用いて階高学習を行う際に、加減速によるロープ伸縮の影響を排除し、正確な階高を学習可能とするエレベータの制御装置および制御方法を提供することを目的とする。
【課題を解決するための手段】
【０００６】
この発明は、昇降路内の階床位置に設けられた着床プレートを前記かごに設けた着床プレート検出器で検出し階床位置を検出する階床位置検出部と、ガバナロープまたは主ロープの動きに基づいてかごの移動距離を検出するかご移動距離検出部と、階高学習時にかごに対して階高学習運転を行う駆動制御部と、前記階高学習運転時に、検出された前記階床位置と前記かごの移動距離により階高を計測する計測処理部と、前記計測した階高を記憶する記憶部と、を備え、前記駆動制御部が、前記階高学習運転時に少なくとも最下階の前記着床プレートを前記かごを一定速度で通過させる、エレベータの制御装置等にある。
【発明の効果】
【０００７】
この発明では、終端階、特に最下階の着床プレートをかごが一定速度で通過するよう制御することにより、ロープの伸縮の影響を受けずに階高を学習できる。
【図面の簡単な説明】
【０００８】
【図１】この発明の実施の形態１によるエレベータ制御装置の全体的な構成を概略的に示す図である。
【図２】この発明の実施の形態１における制御処理装置の制御による階高学習時のかご走行制御を説明するための図である。
【図３】この発明の実施の形態１における制御処理装置の制御による階高学習時の最下階の階高計測のためのかご走行制御を説明するための図である。
【図４】この発明の実施の形態１による計測処理部の内部構成の一例を示す図である。
【図５】この発明の実施の形態２によるエレベータ制御装置の全体的な構成を概略的に示す図である。
【図６】この発明の実施の形態２における制御処理装置の制御による階高学習時のかご走行制御を説明するための図である。
【図７】この発明の実施の形態３によるエレベータ制御装置の全体的な構成を概略的に示す図である。
【図８】この発明の実施の形態３における制御処理装置の制御による階高学習時のかご走行制御を説明するための図である。
【図９】この発明のエレベータ制御装置の制御処理装置をコンピュータで構成した場合の一例の概略的構成図である。
【発明を実施するための形態】
【０００９】
以下、この発明によるエレベータの制御装置および制御方法を各実施の形態に従って図面を用いて説明する。なお、各実施の形態において、同一もしくは相当部分は同一符号で示し、また重複する説明は省略する。
【００１０】
実施の形態１．
図１は、この発明の実施の形態１によるエレベータ制御装置の全体的な構成を概略的に示す図である。エレベータでは、主ロープ２の一端に乗客が乗るためのかご１、他端に釣合錘３が取付けられている。主ロープ２は巻上機４に掛けられ、巻上機４により主ロープ２を巻き上げまたは下げることにより、かご１と釣合錘３を互いに反対の方向に昇降させる。
かご１にはガバナ５が設けられている。ガバナ５は、一部にかご１が固定されたループ状のガバナロープ５ａと、ガバナロープ５ａが掛けられた上下のガバナシーブ５ｂとで構成される。ガバナ５には、例えばエンコーダ等からなる回転数を検知する回転数検知器６が設けられ、回転数ＮＲＯが出力される。回転数検知器６は破線で示すように巻上機４に設けられていてもよい。なお回転数検知器６は本願の他の図では図示は省略されている。
【００１１】
昇降路内部には、各階床の着床ゾーンに応じた位置に、着床プレート７が設けられている。着床プレート７は、各階床において、ドアの戸開閉を許可するゾーンであるドアゾーン、リレベルを許可するリレベルゾーン等のように、複数設置する場合がある。
着床プレート検出器８は、着床プレート７を検出するために、かご１に設置される。着床プレート７が、ドアゾーン、リレベルを許可するリレベルゾーン等、複数種設置される場合は、種類毎に着床プレート検出器８が設置される。着床プレート検出器８が取付けられたかご１が移動して着床プレート７と同等の高さ位置にきて、着床プレート検出器８が着床プレート７と対向することで、着床プレート検出器８が着床プレート７を検出して着床プレート検知信号ＰＤＳを出力する。着床プレート検出器８は後述するように、各着床プレート７のかご１の進行方向に沿った両端の一方を検出し、これが回転数検知器６からの回転数ＮＲＯをカウントした計測箇所となる。
【００１２】
この発明の実施の形態１による制御処理装置９は、計測処理部１０、記憶部１１、駆動制御部１２、を備える。
【００１３】
制御処理装置９は例えば図９に概略的な構成を示したコンピュータ１００で構成し得る。入出力はインタフェース１０１を介して行われる。メモリ１０３には後述する制御のための機能ブロック等で示された各種機能のプログラム、および処理に必要な情報、データ等が予め格納されており、さらに処理結果等が格納される。プロセッサ１０２はインタフェース１０１を介して入力された信号に対して、メモリ１０３に格納された各種プログラム、情報、データに従って演算処理を行い、処理結果をインタフェース１０１を介して出力したり、必要な処理過程、処理結果をメモリ１０３に記憶しておく。例えば図１の計測処理部１０と駆動制御部１２の後述するブロックで示される各種機能はプログラムとしてメモリ１０３に格納される。そして記憶部１１がメモリ１０３に相当する。
また制御処理装置９は、計測処理部１０、駆動制御部１２の後述するブロックで示される各種機能を実行する１つまたは複数のディジタル回路でも構成可能である。
【００１４】
計測処理部１０は、駆動制御部１２からの計測指令ＤＥＣにより、回転数検知器６からの回転数ＮＲＯをカウントし、着床プレート検出器８から得られる着床プレート検出信号ＰＤＳに従って着床プレート７からの脱出検知、または着床プレート７への進入検知のタイミングにおける回転数ＮＲＯのカウント値を計測する。そして、異なる階床、例えば隣り合う階床の着床プレート７に係るカウント値の差を求めることで、階高を算出する。
計測処理部１０で算出した階高データＦＨＤは、記憶手部１１に記憶される。そしてこの発明には直接関係しないが、駆動制御部１２は、階高学習以降、停止階へのかご１の着床制御を行う際に、記憶部１１に記憶された階高データに基づいて、巻上機４へ制御指令ＣＯＣを出力することで、かご呼び、乗場よび等で要求された階へのかご１の着床制御を行う。
【００１５】
駆動制御部１２は、階高学習時にかご１に階高学習運転を行わせ、かご１を定格速度である第１の速度Ｖ１で、最下階から最上階までの間を走行させる。その後、駆動制御部１２は、最下階の階高を求めるために、第１の速度Ｖ１よりも低い第２の速度Ｖ２でかご１を走行させる。第２の速度Ｖ２は、図３で後述するように、最下階から速度０から第２の速度Ｖ２まで加速し、速度が第２の速度Ｖ２になった時点からかご１が最下階の着床プレート７を抜け出るまでの時間、より詳細には、速度が第２の速度Ｖ２になった時点からかご１の着床プレート検出器８が最下階の着床プレート７の端部を通過するまでの時間長が予め設定された設定時間長が確保されるよう決定される。
予め設定された設定時間長は、かご１、主ロープ２、釣合錘３、巻上機４、ガバナ５を含むエレベータの機械機構の機械仕様から、固有振動数及び減衰係数等を求め、振動が十分に減衰する時間長より大きな値とする。機械仕様のばらつきも考慮して、求めた減衰する時間長に対して十分余裕を含めて決定するとよい。
【００１６】
図２はこの発明の実施の形態１における制御処理装置９の制御による階高学習時のかご走行制御を説明するための図である。図２の(ａ)はエレベータの模式図、(ｂ)が計測箇所、(ｃ)がかご１の速度、(ｄ)がガバナロープ５ａの伸縮量、(ｅ)が主ロープ２の伸縮量を示す。縦軸は(ａ)に対応するかご位置を示す。
駆動制御部１２はかご１を第１の速度Ｖ１で、最下階から最上階までの間を走行させる。階高学習では、図２の(ｂ)に黒丸で示した着床プレート７の端部を計測する。
【００１７】
高揚程の場合、最下階からの加速時には、最下階の着床プレート７の上端部において、かご１が加速中であるため、図２の(ｄ)(ｅ)に示す通りガバナロープ５ａまたは主ロープ２の伸縮量が大きくなる。従って、計測処理部１０における、着床プレート７の上端からの脱出検知時の回転数カウント値に、伸縮による誤差が重畳し、これが階高学習における誤差となる。
また、ガバナロープ５ａまたは主ロープ２のロープ伸縮の大きさは加減速度の大きさに比例する。加速度と減速度の大きさが等しい場合、最下階へのかご１の減速時には、ガバナロープ５ａまたは主ロープ２のロープ伸縮の大きさは等しいが、ロープ伸縮方向が変わる。
上層階の場合は、機械システムが高剛性となり、ロープの伸縮量は小さくなり、階高学習として重畳する誤差は無視できる場合が多い。
【００１８】
図３はこの発明の実施の形態１における制御処理装置９の制御による階高学習時の最下階の階高計測のためのかご走行制御を説明するための図である。駆動制御部１２は、最下階の階高に対し、第１の速度Ｖ１よりも低い第２の速度Ｖ２でかご１を走行させる。図３の(ａ)はエレベータの模式図、(ｂ)が計測箇所、(ｃ)がかご１の速度、(ｄ)がガバナロープ５ａの伸縮量、(ｅ)が主ロープ２の伸縮量を示す。縦軸は(ａ)に対応するかご位置を示す。
【００１９】
図３に示す通り、第２の速度Ｖ２では加速時間が短いため、加速時の(ｄ)のガバナロープ５ａの伸縮量、(ｅ)の主ロープ２の伸縮量は大きいものの、(ｂ)に黒丸で示した最下階の着床プレート７の計測箇所において、かご１が一定速度で走行している。また、加速終了後速度が第２の速度Ｖ２となってからかご１の着床プレート検出器８が着床プレート７の上端から脱出するまでの図３にかご位置に対応して示した時間長Ｔが、設定時間長が確保されており、加速度変化時に発生する振動も十分減衰する。従って、計測処理部１０における、着床プレート７の位置計測時の回転数カウント値に、主ロープ２またはガバナロープ５ａの伸縮による誤差は重畳しない。
図３に示す走行では最下階と次の隣接階での計測が行われている。
【００２０】
図４はこの発明の実施の形態１による計測処理部１０の内部構成の一例を示す。計測処理部１０には、階高計測部１０ａと、誤差演算部１０ｂと、補正部１０ｄと、を備える。なお、記憶部１１は制御処理装置９内で兼用のものとして示したが、例えば記憶部１１内に計測処理部１０の専用の記憶領域を設定する、または別途メモリを設けてもよい。
【００２１】
階高計測部１０ａは、駆動制御部１２からの計測指令ＤＥＣに従い、回転数検知器６からの回転数ＮＲＯをカウントし、かご１より詳細には着床プレート検出器８の着床プレート７のかご１の進行方向の先側端からの脱出検知、または着床プレート７へのかご１の進行方向手前側端への進入検知のタイミングにおける回転数のカウント値を計測する。続いて、最下階と隣接階とのカウント値の差を求めることで、最下階の階高を算出する。ここでは、第１の速度Ｖ１での最下階の階高ＬＦＨ１、及び第２の速度Ｖ２での最下階の階高ＬＦＨ２を両方、階高データＬＦＨＤとして出力する。
【００２２】
誤差演算部１０ｂは、階高計測部１０ａからの演算指令ＡＣＯに従い、同じく階高計測部１０ａから出力される第１の速度Ｖ１での最下階の階高ＬＦＨ１と、第２の速度での最下階の階高ＬＦＨ２との差を補正量(伸縮量)(ΔＬＦＨ＝ＬＦＨ２−ＬＦＨ１)として算出し、記憶部１１に記憶する。
【００２３】
補正部１０ｄは、階高計測部１０ａからの補正指令ＣＣＯに従い、記憶部１１に記憶された補正量ΔＬＦＨを用いて、補正指令ＣＣＯに含まれる第１の速度Ｖ１で求めた最下階の階高ＬＦＨ１を補正量ΔＬＦＨにより補正(ＬＦＨ１−ΔＬＦＨ)する。
階高計測部１０ａは、階高データのうちの最下階の階高を補正された階高に差し替えて階高データＦＨＤとして記憶部１１に記憶する。
【００２４】
以上の構成による効果をまとめる。
階高学習時、駆動制御部１２は、かご１を最下階から隣接階までの距離を第１の速度Ｖ１よりも低い第２の速度Ｖ２で定速走行させるように制御する。これにより、第２の速度Ｖ２で走行するのは最下階の階高のためのみとなるため、ロープ伸縮の大きい下層階の影響を受けにくくする上に、学習時間の短縮が可能となる。
また、第２の速度Ｖ２は、加速して速度が第２の速度となった時点からかごの着床プレート検出器８が着床プレート７を抜けるまでの時間長が設定時間長が確保されるよう決定する。これにより、かご１が着床プレート７を抜けるまでに、加速終了時のロープ伸縮によるかご振動を減衰させることができ、階高学習の精度を向上できる。
計測処理部１０は、第１の速度Ｖ１にて再学習する際に、誤差を補正する補正部１０ｄを備えている。これにより、補正量を演算して記憶しておくことにより、調整後の階高については、第１の速度Ｖ１での走行のみを行えば良く、かごを最下階の階高補正のために第２の速度Ｖ２で走行させる必要が無くなる。
【００２５】
実施の形態２．
図５は、この発明の実施の形態２によるエレベータ制御装置の全体的な構成を概略的に示す図である。
計測処理部１０ａａは、駆動制御部１２ａａからの計測指令ＤＥＣにより、回転数検知器６の回転数ＮＲＯをカウントし、かご１の着床プレート７からの脱出検知、または着床プレート７への進入検知のタイミングにおける回転数のカウント値を計測して階高を算出し、記憶部１１に記憶する。なお、計測処理部１０ａａの内部構成については例えば実施の形態１の図４で示したものと同じだが、誤差演算部１０ｂ、補正部１０ｄ、記憶部１１は使用しない。
【００２６】
駆動制御部１２ａａは、最初に最下階を、上述の定格速度である第１の速度Ｖ１よりも低い第２の速度Ｖ２まで加速してかご１を走行させる。その後、着床プレート７がないところ、すなわちかご１の着床プレート検出器８が着床プレート７と対向しないところでかご１を再加速させ、最上階までは第１の速度Ｖ１によりかご１を走行させる。第２の速度は、加速して速度が第２の速度となって時点からかご１の着床プレート検出器８が着床プレート７の上端から脱出するまでの時間長が予め設定された設定時間長が確保されるよう決定される。好ましい設定時間長については上記実施の形態の場合と同様である。
【００２７】
図６はこの発明の実施の形態２における制御処理装置９の制御による階高学習時のかご走行制御を説明するための図である。図６の(ａ)から(ｅ)は実施の形態１の図２，３とそれぞれ同じものを示す。
【００２８】
駆動制御部１２ａａは、最下階に対し、第１の速度Ｖ１よりも低い第２の速度Ｖ２でかご１を走行させる。図６に示す通り、第２の速度Ｖ２では加速時間が短いため、図６の(ｂ)に黒丸で示した最下階の着床プレート７の計測箇所において、かご１が一定速度で走行する。また、加速終了後速度が第２の速度Ｖ２となった時点からかご１の着床プレート検出器８が着床プレート７の上端から脱出するまでの時間長が設定時間長が確保されており、加速度変化時に発生する振動も十分減衰する。
【００２９】
着床プレート検出器８が最下階の着床プレート７脱出後、かご１を第１の速度Ｖ１まで再加速する。最下階の次の隣接階床までは十分距離が離れており、図６の(ｂ)に黒丸で示した最下階の次の階床における着床プレート７の計測箇所において、かご１は第１の速度Ｖ１の一定速度で走行する。
【００３０】
従って、計測処理部１０ａａにおける、着床プレート７の位置計測時の回転数カウント値に、主ロープ２またはガバナロープ５ａの伸縮による誤差は重畳しない。
【００３１】
上層階の場合は、機械システムが高剛性となるため、ロープの伸縮量は小さくなり、階高学習として重畳する誤差は無視できる場合が多い。そのため、ここでは、かご１は最上階側では着床プレート７を特に一定速で通過させない。
【００３２】
以上の構成による効果をまとめる。
階高学習時、駆動制御部１２ａａは、かご１を最下階を第１の速度Ｖ１よりも低い第２の速度Ｖ２にて定速走行させた後に、かご１の着床プレート検出器８が着床プレート７と対向しないところでかご１を再加速させ、最上階までは第１の速度Ｖ１により走行させる。これにより、最下階の階高を個別に学習する必要が無くなる。
また、第２の速度Ｖ２は、加速終了後速度が第２の速度Ｖ２となった時点から着床プレート検出器８が着床プレート７の上端を離脱するまでの時間長が設定時間長が確保されるよう決定されている。これにより、かご１が着床プレート７を抜けるまでに、加速終了時のガバナロープまたは主ロープの伸縮によるかご振動を減衰させることができ、階高学習の精度を向上できる。
【００３３】
実施の形態３．
図７は、この発明の実施の形態３によるエレベータ制御装置の全体的な構成を概略的に示す図である。
【００３４】
計測処理部１０ｂｂは、実施の形態２の図５の計測処理部１０ａａと同様のものである。
駆動制御部１２ｂｂは、着床プレート７の無い、すなわちかご１の着床プレート検出器８が着床プレート７と対向しない区間毎に、定格速度である第１の速度Ｖ１まで、段階的にかご１を再加速させる。また、加速区間毎の加速後、着床プレート検出器８の着床プレート７からの脱出または進入までの時間長が設定時間長が確保されており、加速度変化時に発生する振動も十分減衰するよう制御する。好ましい設定時間長については上記実施の形態の場合と同様である。
【００３５】
図８は、この発明の実施の形態３における制御処理装置９の制御による階高学習時のかご走行制御を説明するための図である。
駆動制御部１２ｂｂは、最下階に対し、第１の速度Ｖ１よりも低い第２の速度Ｖ２で走行する。図８に示す通り、第２の速度Ｖ２では加速時間が短いため、図８の(ｂ)に黒丸で示した最下階の着床プレート７の計測箇所において、かご１が一定速度で走行する。また、加速終了後速度が第２の速度となった時点からかご１の着床プレート検出器８が着床プレート７の上端から脱出するまでの時間長Ｔａが設定時間長が確保されており、加速度変化時に発生する振動も十分減衰する。
【００３６】
最下階の着床プレート７脱出後、かご１を第１の速度Ｖ１より低く第２の速度Ｖ２より高い第３の速度Ｖ３(Ｖ１＞Ｖ３＞Ｖ２)まで再加速する。図８に示す通り、第３の速度Ｖ３までの加速時間は短い。さらに、加速終了後速度が第３の速度Ｖ３となった時点からかご１が隣接階の着床プレート７に進入するまでの時間長Ｔｂが設定時間長が確保されており、加速度変化時に発生する振動も十分減衰する。そのため、図８の(ｂ)に黒丸で示した最下階の次の隣接階における着床プレート７の計測箇所において、かご１は一定速度で走行する。
【００３７】
従って、計測処理部１０ｂｂにおける、着床プレート７の位置計測時の回転数カウント値に、主ロープ２またはガバナロープ５ａの伸縮による誤差は重畳しない。以降は着床プレート７の無い区間毎に、第１の速度Ｖ１まで、段階的に再加速を行い、同様に誤差は重畳しない。
【００３８】
上層階の場合は、機械システムが高剛性となるため、ロープの伸縮量は小さくなり、階高学習として重畳する誤差は無視できる場合が多い。そのため、ここでは、最上階側は着床プレート７を一定速で通過しない。
【００３９】
以上の構成による効果をまとめる。
階高学習時、駆動制御部１２ｂｂは、着床プレート７の無い区間毎に、第１の速度Ｖ１まで、段階的に再加速を行う。これにより、例えば二扉構成のかごで階高が短くなる場合であっても、加速によるロープ伸縮の影響を受けにくくするとともに、学習時間のさらなる短縮が図れる。
また、着床プレート７の無い区間毎における加速後、かご１の着床プレート７の脱出または進入までの時間長が設定時間長が確保されるよう制御する。これにより、かご１が着床プレート７を抜けるまでに、加速終了時のロープ伸縮によるかご振動を減衰させることができ、階高学習の精度を向上できる。
【００４０】
なお、着床プレート７おとび着床プレート検出器８は、昇降路内の階床位置に設けられた着床プレート７をかご１に設けた着床プレート検出器８で検出し階床位置を検出する階床位置検出部(７，８)を構成する。
また、回転数検知器６は、ガバナロープ５ａまたは主ロープ２の動きに基づいてかごの移動距離を検出するかご移動距離検出部(６)を構成する。
そして計測処理部１０が、階高学習運転時に、検出された階床位置とかごの移動距離により階高を計測する。
【００４１】
また、回転数検知器６は巻上機４に取り付けた場合にも、図２、図３、図６、図８に示したように主ロープ２の伸縮があるため、この発明の実施の形態１、２、３の適用により、階高学習の高精度化が同様に期待できる。
また、上記各実施の形態では階高学習の際にかご１を最下階から最上階へ上昇させていたが、かご１を最上階から最下階へ下降させる運転を行っても同様に実施可能である。
【産業上の利用の可能性】
【００４２】
この発明によるエレベータの制御装置および制御方法は、ロープ式エレベータのうちの着床制御に階高情報を使用するエレベータに幅広く適用することが可能である。
【図１】
2018016033.tif 000003
【図２】
2018016033.tif 000004
【図３】
2018016033.tif 000005
【図４】
2018016033.tif 000006
【図５】
2018016033.tif 000007
【図６】
2018016033.tif 000008
【図７】
2018016033.tif 000009
【図８】
2018016033.tif 000010
【図９】
2018016033.tif 000011
【国際調査報告】
2018016033.tif 000012
2018016033.tif 000013